(57)【要約】【課題】装置全体で多くの油分を分離可能なオイルセパレータを提供する。【解決手段】オイルセパレータ３は、筐体１１内に流入した油分を含む空気を衝突板３４，３５に衝突させることで油分を分離して回収する。オイルセパレータ３は、衝突板３４，３５と空間とから構成され、導入口１４よりも横断面積が大きい膨張室３１，３２を備える。膨張室３１と膨張室３２との間には、オリフィス孔３０ａが形成された隔壁３０が設けられている。【選択図】図３
2013173124.tif 000002
【特許請求の範囲】
【請求項１】
筐体内に導入した油分を含む空気を衝突板に衝突させることで油分を分離して回収するオイルセパレータにおいて、
前記衝突板と空間とから構成され、導入口よりも横断面積が大きい膨張室を複数備え、
前記膨張室と前記膨張室との間には、オリフィス孔が形成された隔壁が設けられている
ことを特徴とするオイルセパレータ。
【請求項２】
前段の前記膨張室の容積よりも後段の前記膨張室の容積を大きくする
ことを特徴とする請求項１に記載のオイルセパレータ。
【請求項３】
請求項１又は２に記載のオイルセパレータにおいて、
前記筐体の水平方向における面に導入口と排出口とがそれぞれ形成される
ことを特徴とするオイルセパレータ。
【請求項４】
各前記膨張室は、水平方向に併設される
ことを特徴とする請求項１〜３のいずれか一項に記載のオイルセパレータ。
【請求項５】
前記衝突板と前記隔壁との下部には、貫通孔が形成されている
ことを特徴とする請求項４に記載のオイルセパレータ。
【発明の詳細な説明】
【技術分野】
【０００１】
本発明は、機器を通過した空気に含まれるオイルを分離するオイルセパレータに関する。
【背景技術】
【０００２】
トラック、バス、建機等の車両は、エンジンと直結したコンプレッサから送られる圧縮空気を利用してブレーキやサスペンション等のシステムを制御している。この圧縮空気には、大気中に含まれる水分やコンプレッサ内を潤滑する油分が含まれている。この水分や油分を含む圧縮空気が各システム内に侵入すると、錆やゴム部材（Ｏリング等）の膨潤を招き作動不良の原因となる。このため、エア系統のコンプレッサの下流には、圧縮空気中の水分や油分を除去するためのエアドライヤが設けられている（例えば、特許文献１参照）。
【０００３】
エアドライヤ内には、フィルタ、シリカゲルやゼオライト等の乾燥剤が設けられている。そして、エアドライヤは、水分を除去する除湿作用と、乾燥剤に吸着させた水分を取り除き外部に放出する再生作用とを行う。
【０００４】
ところで、乾燥剤の再生時にエアドライヤから放出される空気には水分とともに油分も含まれるため、環境負荷を考慮してエア系統のコンプレッサの下流にオイルセパレータを設けることを考えている。
【０００５】
オイルセパレータは、水分や油分を含んだ空気が衝突する複数の衝突板を筐体内に設けた衝突板方式のものがある（例えば、特許文献２参照）。この衝突板方式のオイルセパレータは、空気を衝突板に衝突させて気液分離を行うことで油分を回収し、清浄エアを排出する。
【先行技術文献】
【特許文献】
【０００６】
【特許文献１】特開平１０−２９６０３８号公報
【特許文献２】特開２００８−２３７７号公報
【発明の概要】
【発明が解決しようとする課題】
【０００７】
ところで、上記のオイルセパレータは、隔壁によって一次室と二次室とに分けられている。そして、上記のオイルセパレータでは、一次室において油分があまり分離されず、油分を含んだ空気が二次室に流入して、二次室において多くの油分が分離される。このため、上記のオイルセパレータでは、一次室よりも二次室に多くの油分が溜まることとなる。そこで、装置全体で多くの油分を分離可能なオイルセパレータが求められていた。
【０００８】
本発明は、こうした実情に鑑みてなされたものであり、その目的は、装置全体で多くの油分を分離可能なオイルセパレータを提供することにある。
【課題を解決するための手段】
【０００９】
以下、上記目的を達成するための手段及びその作用効果について説明する。
請求項１に記載の発明は、筐体内に導入した油分を含む空気を衝突板に衝突させることで油分を分離して回収するオイルセパレータにおいて、前記衝突板と空間とから構成され、導入口よりも横断面積が大きい膨張室を複数備え、前記膨張室と前記膨張室との間には、オリフィス孔が形成された隔壁が設けられていることをその要旨としている。
【００１０】
同構成によれば、各膨張室が衝突
板と空間とから構成されるので、空気に含まれる油分が衝突板に衝突して各膨張室において分離される。また、膨張室を区画する隔壁にも空気に含まれる油分が衝突して分離される。さらに、隔壁に形成されたオリフィス孔を通過した空気の速度が上昇されるので、重たい油水分粒子が進行方向にあるオリフィス孔直後の衝突板に衝突し易くなり、隔壁の後段の膨張室において分離される油分が増加する。また、オリフィス孔を設けることによりオリフィス孔を通過し難いエマルジョン状態のドレンを隔壁の前段の膨張室に溜めることができる。よって、各膨張室において分離される油分が増加するので、装置全体で多くの油分を分離することができる。
【００１１】
請求項２に記載の発明は、請求項１に記載のオイルセパレータにおいて、前段の前記膨張室の容積よりも後段の前記膨張室の容積を大きくすることをその要旨としている。
同構成によれば、前段の膨張室の容積よりも後段の膨張室の容積を大きくするので、後段の膨張室において前段の膨張室よりも空気から分離した多くの油分を溜めることができる。
【００１２】
請求項３に記載の発明は、請求項１又は２に記載のオイルセパレータにおいて、前記筐体の水平方向における面に導入口と排出口とがそれぞれ形成されることをその要旨としている。
【００１３】
同構成によれば、筐体の水平方向の面に導入口と排出口とがそれぞれ形成されるので、底面には導入口や排出口がなく、分離した油分を溜めることができる。また、鉛直方向において上面や底面に管を接続することがないので、鉛直方向の長さを抑制することができる。
【００１４】
請求項４に記載の発明は、請求項１〜３のいずれか一項に記載のオイルセパレータにおいて、各前記膨張室は、水平方向に併設されることをその要旨としている。
同構成によれば、各膨張室を水平方向に併設したので、鉛直方向への突出を抑えて、車両搭載時における他の部材への影響を抑制することができる。例えば、トラックの荷室の下に搭載する際には、荷室の容積を極力大きく確保することができる。
【００１５】
請求項５に記載の発明は、請求項４に記載のオイルセパレータにおいて、前記衝突板と前記隔壁との下部には、貫通孔が形成されていることをその要旨としている。
同構成によれば、衝突板と隔壁との下部に貫通孔を形成したので、分離された油分を膨張室毎に溜めることなく、全膨張室で溜めることができるので、油分を溜めることができる容積を増加させることができる。
【発明の効果】
【００１６】
本発明によれば、オイルセパレータにおいて、装置全体で多くの油分を分離することができる。
【図面の簡単な説明】
【００１７】
【図１】エア系統におけるオイルセパレータの設置位置を示すブロック図。
【図２】オイルセパレータの外部構造を示す側面図。
【図３】オイルセパレータの内部構造を示す縦断面斜視図。
【図４】オイルセパレータの加熱部を示す横断面図。
【図５】オイルセパレータの組付構造を示す平面図。
【図６】オイルセパレータの組付構造を示す分解斜視図。
【図７】オイルセパレータにおける空気の流れを示す縦断面拡大図。
【図８】エア系統におけるオイルセパレータの設置位置を示すブロック図。
【発明を実施するための形態】
【００１８】
以下、本発明のオイルセパレータをエアドライヤの排気系統に具体化した一実施形態について図１〜図７を参照して説明する。
図１に示されるように、トラック、バス、建機等の車両は、コンプレッサ１から送られる圧縮空気を利用してブレーキやサスペンション等のシステムを制御している。このため、エア系統のコンプレッサ１の下流には、圧縮空気中の油水分を除去し、乾燥空気を提供するためのエアドライヤ２が設けられている。エアドライヤ２内には、乾燥剤が設けられている。そして、エアドライヤ２は、油水分を除去する除湿作用と、乾燥剤に吸着させた油水分を取り除き外部に放出する再生作用とを行う。
【００１９】
そこで、本実施例では、乾燥剤の再生時にエアドライヤ２から放出される空気（パージエア）には水分とともに油分も含まれるため、環境負荷を考慮してエア系統のコンプレッサ１の下流にオイルセパレータ３を設ける。特に、オイルセパレータ３は、エアドライヤ２の排気系統に設けられ、エアドライヤ２を再生する際に排出されるパージエアから油水分を分離して回収する。
【００２０】
オイルセパレータ３は、油水分を含んだ空気が衝突する複数の衝突板を筐体内に設けた衝突板方式である。この衝突板方式のオイルセパレータ３は、油水分を含んだ空気を衝突板に衝突させて気液分離を行うことで油分を回収し、清浄エアを排出する。
【００２１】
図２に示されるように、オイルセパレータ３は、水平方向に延出した直方体状の筐体１１である。筐体１１の長手方向の対向する正面１２と背面１３とには、導入口１４と排出口１５とがそれぞれ形成されている。すなわち、オイルセパレータ３は、図２の左側から右側へ空気が通過するようになっている。また、排出口１５が形成された側の底面１６には、空気から分離した油水分を含むドレンを排出するドレン排出口１７が形成されている。
【００２２】
また、筐体１１の上面には開口部１８が形成されている。開口部１８は、長方形状の蓋１９によって閉蓋されている。開口部１８と蓋１９との間には、開口部１８の全面を覆う密閉シート２０が挟まれている。蓋１９と密閉シート２０と筐体１１とは、複数のボルト２１とナット２２によって締め付け固定されている。蓋１９は、収容される部材の移動を規制する。
【００２３】
図３に示されるように、筐体１１内の長手方向における中央部分には、板状の隔壁３０が設けられている。筐体１１は、隔壁３０によって、導入口１４側を一次膨張室３１と、排出口１５側を二次膨張室３２とに水平方向において区画されている。一次膨張室３１と二次膨張室３２との横断面積は、導入口１４の横断面積よりも大きく形成されている。このため、導入された空気は膨張して通過速度が遅くなる。空気の通過速度が遅くなることによって、さらに、飽和水蒸気圧が低下し油水分が凝集し易くなり、粒子の質量が増加して衝突板に衝突し易くなる。
【００２４】
隔壁３０の上部には、貫通孔（オリフィス孔）３０ａが一箇所形成されている。よって、この隔壁３０は、オリフィス孔３０ａによってオリフィスとして機能する。また、隔壁３０の底面１６近傍の下部には、貫通孔が一箇所形成され、空気から分離して回収したドレンを膨張室３１，３２間で通過させる連通孔３３が設けられている。
【００２５】
また、筐体１１内の隔壁３０の両側には、対向する一対の衝突板３４，３５がそれぞれ設けられている。上流側の第１衝突板３４は、筐体１１の底面１６から蓋１９まで延出する第１立設板３４ａと、筐体１１の長手方向において排出口１５側へ第１立設板３４ａから垂直に延出する第１邪魔板３４ｂとを備えている。第１衝突板３４の第１立設板３４ａには、衝突板３４，３５の幅方向に延びる長方形状の第１貫通孔３４ｃが第１邪魔板３４ｂの接続部よりも下方に形成されている。
【００２６】
また、下流側の第２衝突板３５は、筐体１１の底面１６から蓋１９まで延出する第２立設板３５ａと、筐体１１の長手方向において導入口１４側へ第２立設板３５ａから垂直に延出する第２邪魔板３５ｂとを備えている。第２衝突板３５の第２立設板３５ａには、第２邪魔板３５ｂの衝突板３４，３５の幅方向に延びる長方形状の第２貫通孔３５ｃが第２邪魔板３５ｂの接続部よりも上方に形成されている。
【００２７】
そして、第１邪魔板３４ｂと第２邪魔板３５ｂとは、流路を邪魔するように突出しており、互いの大きい面を近接させることで狭い隙間である極狭部３６が形成されている。ここで、第１邪魔板３４ｂが第２邪魔板３５ｂよりも蓋１９側に位置している。極狭部３６によって空気の通過速度が速くなり、さらに蛇行流路が形成されていることにより油水分粒子の板への衝突機会が増加し、空気から油水分が分離される。また、邪魔板３４ｂ，３５ｂがあることにより、落下した油水分が通過するエアによって巻き上げられて下流側へ運ばれないようになり、ドレンの採取量の減少を抑制できる。第１衝突板３４及び第２衝突板３５の底面１６近傍の下部には、貫通孔が一箇所形成され、空気から分離して回収したドレンを通過させる連通孔３３が設けられている。
【００２８】
一次膨張室３１は一対の衝突板３４，３５と空間とから構成されている。導入口１４と一対の衝突板３４，３５との間の空間には、複数の孔が開いたパンチングメタル板３７が片側に取り付けられたウレタンフォーム（スポンジ等）３８が設置されている。ウレタンフォーム３８は油水分を捕獲する。
【００２９】
二次膨張室３２も一対の衝突板３４，３５と空間とから構成されている。一対の衝突板３４，３５と排出口１５との間の空間には、複数の孔が開いたパンチングメタル板３７に両側を挟まれたクラッシュドアルミ３９が設置されている。クラッシュドアルミ３９はさらに油水分を捕獲する。
【００３０】
図４に示されるように、各膨張室３１，３２には、筐体１１の強度を高めるリブ４０がそれぞれ設けられている。そして、リブ４０の底面１６側には、加熱手段としてのヒータ４１を収容する円柱状の収容部２３が形成されている。筐体１１の外面にはヒータ４１を挿入する挿入口２４が形成され、挿入口２４から収容部２３に貫通している。ヒータ４１は、円柱状であって、筐体１１の外面から収容部２３に挿入して設置されている。ヒータ４１は、電源に接続されている。
【００３１】
また、筐体１１の外面の挿入口２４の上方には、サーモスタット４２を取り付ける取付穴２５が形成されている。サーモスタット４２は、取付穴２５に取り付けられ、電源とヒータ４１に接続されている。サーモスタット４２は、筐体１１の温度を検出して、ヒータ４１の加熱を制御する。ヒータ４１によって筐体１１を加熱することで、筐体１１の底面に溜まったドレンに含まれる水分を極力蒸発させ、油分の濃度が高いドレンを生成する。さらに、ヒータ４１によって筐体１１を加熱することで、寒冷地において水分が凍結してドレンをドレン排出口１７から排出できない状態になることを防止することができる。
【００３２】
図５及び図６に示されるように、筐体１１の長手方向に延出する内壁２６の両側には、隔壁３０や衝突板３４，３５、ウレタンフォーム３８、クラッシュドアルミ３９等を組み付けるための組付構造として一対の組付溝２７が複数形成されている。隔壁３０と衝突板３４，３５とは、筐体１１の開口部１８側から組付溝２７に挿入することで組み付けられる。ここで、第１衝突板３４と第２衝突板３５とは、第２衝突板３５を挿入してから第１衝突板３４を順に挿入することで筐体１１に組み付けられる。ウレタンフォーム３８とクラッシュドアルミ３９とは、パンチングメタル板３７を筐体１１の開口部１８側から組付溝２７に挿入することで筐体１１に組み付けられる。よって、本実施例のオイルセパレータ３は、複数ある組付溝２７から選択することによって隔壁３０や衝突板３４，３５、ウレタンフォーム３８、クラッシュドアルミ３９の取付位置を変更できる。また、オイルセパレータ３は、隔壁３０や衝突板３４，３５、ウレタンフォーム３８、クラッシュドアルミ３９の組み合わせを選択することができる。よって、仕様要求に応じて容易に対応できる。
【００３３】
次に、前述のように構成されたオイルセパレータの作用について図７を参照して説明する。
図７に示されるように、導入口１４から一次膨張室３１内に導入された空気は、ウレタンフォーム３８によって油水分が捕獲されながら通過して、一次膨張室３１の第１衝突板３４の第１貫通孔３４ｃを通過する。このとき、第１貫通孔３４ｃ以外の第１立設板３４ａに衝突した油水分が空気から分離される。そして、第１貫通孔３４ｃを通過した空気は、第１邪魔板３４ｂと第２邪魔板３５ｂとによって形成された極狭部３６に向かい通過する。このとき、第２立設板３５ａと第２邪魔板３５ｂとに衝突した油水分が空気から分離される。
【００３４】
極狭部３６を通過した空気は、第２立設板３５ａの第２貫通孔３５ｃを通過して隔壁３０のオリフィス孔３０ａに向かい通過する。このとき、オリフィス孔３０ａ以外の隔壁３０に衝突した油水分が空気から分離される。
【００３５】
隔壁３０のオリフィス孔３０ａを通過した空気は、二次膨張室３２の第１立設板３４ａの第１貫通孔３４ｃを通過する。このとき、第１貫通孔３４ｃ以外の第１立設板３４ａに衝突した油水分が空気から分離される。そして、第１貫通孔３４ｃを通過した空気は、第１邪魔板３４ｂと第２邪魔板３５ｂとによって形成された極狭部３６に向かい通過する。このとき、第２立設板３５ａと第２邪魔板３５ｂとに衝突した油水分が空気から分離される。
【００３６】
極狭部３６を通過した空気は、第２立設板３５ａの第２貫通孔３５ｃを通過してクラッシュドアルミ３９に向かい通過する。このとき、クラッシュドアルミ３９に導入された空気は、クラッシュドアルミ３９によってさらに油水分が捕獲されながら通過して、排出口１５から油分を含まない清浄エアが外部に排出される。
【００３７】
以上、説明した実施形態によれば、以下の効果を奏することができる。
（１）各膨張室３１，３２が衝突板３４，３５と空間とから構成されるので、空気に含まれる油水分が衝突板３４，３５に衝突して各膨張室３１，３２において分離される。また、膨張室３１，３２を区画する隔壁３０にも空気に含まれる油水分が衝突して分離される。さらに、隔壁３０に形成されたオリフィス孔３０ａを通過した空気の速度が上昇されるので、重たい油水分粒子が進行方向にあるオリフィス孔３０ａ直後の衝突板３４に衝突し易くなり、隔壁３０の後段の二次膨張室３２において分離される油水分が増加する。また、オリフィス孔３０ａを設けることによりオリフィス孔３０ａを通過し難いエマルジョン状態のドレンを隔壁３０の前段の一次膨張室３１に溜めることができる。よって、各膨張室３１，３２において分離される油水分が増加するので、装置全体で多くの油水分を分離することができる。
【００３８】
（２）筐体１１の水平方向の面に導入口１４と排出口１５とがそれぞれ形成されるので、底面１６には導入口１４や排出口１５がなく、分離した油水分を溜めることができる。また、鉛直方向において上面や底面に管を接続することがないので、鉛直方向の長さを抑制することができる。
【００３９】
（３）各膨張室３１，３２を水平方向に併設したので、鉛直方向への突出を抑えて、車両搭載時における他の部材への影響を抑制することができる。例えば、トラックの荷室の下に搭載する際には、荷室の容積を極力大きく確保することができる。
【００４０】
（４）衝突板３４，３５と隔壁３０との下部に連通孔３３を形成したので、分離された油水分を膨張室３１，３２毎に溜めることなく、全膨張室３１，３２で溜めることができるので、油水分を溜めることができる容積を増加させることができる。
【００４１】
なお、上記実施形態は、これを適宜変更した以下の形態にて実施することができる。
・上記実施形態では、筐体１１の開口部１８と蓋１９との間に密閉シート２０を設けたが、密閉シート２０を省略してもよい。なお、筐体１１の開口部１８と蓋１９との間において密閉が保たれることが望ましい。
【００４２】
・上記実施形態では、立設板３４ａ，３５ａに対して垂直に延出した邪魔板３４ｂ，３５ｂを設けたが、極狭部３６を維持できれば、邪魔板３４ｂ，３５ｂを立設板３４ａ，３５ａに対して垂直に形成しなくてもよい。
【００４３】
・上記実施形態では、一対の邪魔板３４ｂ，３５ｂからなる極狭部３６を設けたが、複数が互いに対となる邪魔板からなる極狭部を設けてもよい。
・上記実施形態では、隔壁３０の下部に連通孔３３を形成したが、各膨張室３１，３２にドレン排出口１７を形成した場合には、隔壁３０の連通孔３３を省略してもよい。
【００４４】
・上記実施形態では、蓋１９によって衝突板３４，３５や隔壁３０、ウレタンフォーム３８、クラッシュドアルミ３９等の移動を規制した。しかしながら、衝突板３４，３５や隔壁３０、ウレタンフォーム３８、クラッシュドアルミ３９等が固定されていれば、蓋１９による移動規制をなくしてもよい。
【００４５】
・上記実施形態では、一次膨張室３１にクラッシュドアルミ３９を設置したが、クラッシュドアルミ３９に代えてウレタンフォーム３８を設置してもよい。
・上記実施形態では、ウレタンフォーム３８→衝突板３４，３５→隔壁３０（オリフィス孔３０ａ）→衝突板３４，３５→クラッシュドアルミ３９の順で配置した。しかしながら、エアドライヤ２（コンプレッサ１）から排出される油水分量によって、これらの配置を代えたり、一部の部材を省略したり、一部の部材を増加したり、部材を変更したりしてもよい。
【００４６】
・上記実施形態では、筐体１１内を膨張室とドレン溜め部とに分ける仕切板を筐体１１内の底部に設けてもよい。このようにすれば、筐体１１内の底部に溜まったドレンの巻き上げを防止できる。また、仕切板と内壁との間に隙間がある場合は、分離した油水分を当該隙間からドレン溜め部に移動させる。一方、仕切板と内壁との間に隙間がない場合には、分離した油水分をドレン溜め部に移動させる連通孔が形成されることが望ましい。
【００４７】
・上記実施形態では、各膨張室３１，３２を水平方向に併設したが、垂直方向に併設してもよい。
・上記実施形態では、導入口１４を正面１２に形成し、排出口１５を背面に形成したが、垂直方向に空間の余裕があれば、上面の蓋１９や底面１６に導入口１４や排出口１５を形成してもよい。
【００４８】
・上記実施形態では、一次膨張室３１と二次膨張室３２とをほぼ同じ大きさとしたが、一次膨張室３１の容積よりも二次膨張室３２の容積を大きくしてもよい。このようにすれば、飽和水蒸気圧がさらに低下して油水分が凝集し易くなり、粒子の質量が増加して衝突板に衝突し易くなる。よって、二次膨張室３２において一次膨張室３１よりも空気から分離した多くの油水分を溜めることができる。
【００４９】
・上記構成において、組付溝２７と板の厚みを組付部品毎に変えることで、組付溝２７に対して組付部品の組付可能な位置を限定してもよい。
・上記実施形態では、組付構造として組付溝２７を筐体１１の内壁２６に複数形成したが、溝に限らず、係合構造等を採用してもよい。
【００５０】
・上記実施形態では、ヒータ４１をリブ４０に設置したが、ヒータ４１をリブ４０以外の場所に設置してもよい。
・上記実施形態では、ヒータ４１を各膨張室３１，３２に設けたが、いずれかの膨張室のみに設けてもよい。また、ヒータ４１の数量は必要に応じて変更可能である。さらに、ヒータ４１が不要であれば、省略した構成を採用してもよい。
【００５１】
・上記実施形態では、オイルセパレータ３をエア系統のコンプレッサ１の下流であるエアドライヤ２の排気系統に設けた。しかしながら、図８に示されるように、オイルセパレータ３をエア系統のコンプレッサ１の下流であってエアドライヤ２の上流に設けてもよい。このようにすれば、コンプレッサ１の潤滑油等が含まれる空気から油水分を分離して、清浄エアをエアドライヤ２に供給することができる。よって、エアドライヤ２に設けられる乾燥剤における油分による劣化を抑制することができる。
【００５２】
・上記実施形態では、トラック、バス、建機等の車両においてエアドライヤ２が設けられたエア系統にオイルセパレータ３を設けたが、油水分を含む空気から油分を分離する用途であればどこでも使うことができる。例えば、工場等で圧縮空気を乾燥させるエアドライヤからの大気への排気をオイルセパレータによって清浄してもよい。
【符号の説明】
【００５３】
１…コンプレッサ、２…エアドライヤ、３…オイルセパレータ、１１…筐体、１２…正面、１３…背面、１４…導入口、１５…排出口、１６…底面、１７…ドレン排出口、１８…開口部、１９…蓋、２０…密閉シート、２１…ボルト、２２…ナット、２３…収容部、２４…挿入口、２５…取付穴、２６…内壁、２７…組付溝、３０…隔壁、３０ａ…オリフィス孔、３１…一次膨張室、３２…二次膨張室、３３…連通孔、３４…第１衝突板、３４ａ…第１立設板、３４ｂ…第１邪魔板、３４ｃ…第１貫通孔、３５…第２衝突板、３５ａ…第２立設板、３５ｂ…第２邪魔板、３５ｃ…第２貫通孔、３６…極狭部、３７…パンチングメタル板、３８…ウレタンフォーム、３９…クラッシュドアルミ、４０…リブ、４１…ヒータ、４２…サーモスタット。
【図１】
2013173124.tif 000003
【図２】
2013173124.tif 000004
【図３】
2013173124.tif 000005
【図４】
2013173124.tif 000006
【図５】
2013173124.tif 000007
【図６】
2013173124.tif 000008
【図７】
2013173124.tif 000009
【図８】
2013173124.tif 000010